(57)【特許請求の範囲】
【請求項１】
保持具本体の先端に黒板を取り付け、保持具本体の基端部をカメラに固定することにより、前記黒板と施工現場とを同時に撮影可能とする工事用黒板保持具であって、
前記黒板は、裏面に黒板取付部材を一体的に設けた名刺サイズの黒板入れケースに挿入され、
前記黒板入れケースは、前記保持具本体の先端を起立状に屈曲形成した起立部に対して前記黒板取付部材により着脱自在に取り付けられ、
前記保持具本体は、第１長孔を有する第１金属フレームと、第２長孔を有する第２金属フレームと、前記第１長孔と前記第２長孔とを挿通して前記第１金属フレームと前記第２金属フレームとを重合状態に締結する締結部材と、を有し、
前記第１金属フレームの一端が前記保持具本体の先端部を構成し、前記第２金属フレームの一端が前記保持具本体の基端部を構成することを特徴とする黒板保持具。
【請求項２】
前記黒板入れケースは、前記黒板取付部材としてのクリップにより保持具本体の先端に取り付け可能としたことを特徴とする請求項１に記載の黒板保持具。
【請求項３】
前記黒板入れケースは、防水性を有する透明のプラスチック素材で形成されたことを特徴とする請求項１又は請求項２に記載の黒板保持具。
【請求項４】
前記黒板に表示する情報をパソコン上で入力可能とし、その入力した情報を反映した黒板を印刷又はダウンロードして使用することを特徴とする請求項１〜請求項３のいずれか１項に記載の黒板保持具。
【請求項５】
前記保持具本体は、第１中途部よりも前記基端部寄りの部位を水平としたときに前記第１中途部よりも前記先端部寄りの部位が前記基端部に対して下方に位置するように当該第１中途部を折り曲げて形成した第１屈曲部と、前記第１中途部よりも先端部寄りの第２中途部よりも先端寄りの前記先端部が上面側に略垂直に延伸するように折り曲げて形成した第２屈曲部と、が設けられていることを特徴とする請求項１〜請求項４の何れか1項に記載の黒板保持具。
【発明の詳細な説明】
【技術分野】
【０００１】
本発明は、工事現場や施工現場等で使用する工事用黒板を保持する黒板保持具に関する。
【背景技術】
【０００２】
工事用現場では、工事の工程や施工の進捗などが確認できるように、黒板に工事の場所や日時や工程などを表示し、その黒板を写真で撮影することが一般的に行われている。しかし、従来では、工事の作業実施場所や作業日時などを記載した黒板を一人が持ち、一人が撮影者として撮影していたので、この作業をするのに二人必要であった。
【０００３】
そこで、一人で黒板の内容を表示して工事現場を撮影する黒板保持具が開示されてある。このように、黒板保持具を使用することで、これまで黒板を持っていた作業員は別の作業をすることができる。
【０００４】
さらに、特許文献１に記載のように、最近になって、パソコンのデータ処理により黒板を作成して、工事現場と組み合わせた写真を作成可能としている。このように、パソコンのデータ上で黒板データを表示して工事現場の写真を加工することができるので、写真データの取り込みや保存が容易に行える。
【０００５】
【特許文献１】特開２００９−０６５６６８号公報
【発明の開示】
【発明が解決しようとする課題】
【０００６】
ところが、前記黒板保持具では、黒板の取り付け及び取り外しが面倒であり、頻繁に施工場所を変更するには不適当であった。また、前記特許文献１に記載の発明では、データ上で簡単に加工することも可能であるため、写真と共に黒板の内容が改竄されるおそれが生じていた。
【０００７】
本発明は、斯かる事情に鑑みてなされたものであって、別の作業員が黒板を持つことなく、作業員一人で施工現場と工事用黒板と共に撮影することができる黒板保持具を提供する。
【課題を解決するための手段】
【０００８】
請求項１記載の本発明は、保持具本体の先端に黒板を取り付け、保持具本体の基端部をカメラに固定することにより、前記黒板と施工現場とを同時に撮影可能とする工事用黒板保持具であって、 前記黒板は、裏面に黒板取付部材を一体的に設けた名刺サイズの黒板入れケースに挿入され、前記黒板入れケースは、前記保持具本体の先端を起立状に屈曲形成した起立部に対して前記黒板取付部材により着脱自在に取り付けられ、前記保持具本体は、第１長孔を有する第１金属フレームと、第２長孔を有する第２金属フレームと、前記第１長孔と前記第２長孔とを挿通して前記第１金属フレームと前記第２金属フレームとを重合状態に締結する締結部材と、を有し、前記第１金属フレームの一端が前記保持具本体の先端部を構成し、前記第２金属フレームの一端が前記保持具本体の基端部を構成することを特徴とする黒板保持具である。
【０００９】
請求項２記載の本発明は、前記黒板入れケースは、前記黒板取付部材としてのクリップにより保持具本体の先端に取り付け可能としたことを特徴とする請求項１に記載の黒板保持具である。
【００１０】
請求項３記載の本発明は、前記黒板入れケースは、防水性のプラスチック素材で形成されたことを特徴とする請求項１又は請求項２に記載の黒板保持具である。
【００１１】
請求項４記載の本発明は、前記黒板に表示する情報をパソコン上で入力可能とし、その入力した情報を反映した黒板を印刷又はダウンロードして使用することを特徴とする請求項１〜請求項３のいずれか１項に記載の黒板保持具である。
また、請求項５記載の本発明において、前記保持具本体は、第１中途部よりも前記基端部寄りの部位を水平としたときに前記第１中途部よりも前記先端部寄りの部位が前記基端部に対して下方に位置するように当該第１中途部を折り曲げて形成した第１屈曲部と、前記第１中途部よりも先端部寄りの第２中途部よりも先端寄りの前記先端部が上面側に垂直方向に延伸するように折り曲げて形成した第２屈曲部と、が設けられていることを特徴とする。
【発明の効果】
【００１２】
請求項１記載の本発明は、従来の工事用黒板に比べて黒板が名刺サイズを有するのでコンパクトであり、携帯性にもすぐれている。しかも、一人で工事現場での黒板と現場との同時撮影が可能であり、工事用現場で確実に黒板と共に撮影することができるので、従来ソフト上で行うデータの改竄のおそれがない。
【００１３】
請求項２記載の本発明は、保持具本体への黒板の取り付け及び取り外しを容易にできる。また、黒板の記載の内容の変更を簡単にでき、どんな現場においても黒板の表示の変更が可能である。
【００１４】
請求項３記載の本発明は、前記黒板入れケースは、防水性を有する透明のプラスチック素材で形成されているので、雨天の場合でも現場の写真を撮影することができる。また、黒板を傷つけたり、汚したりせずに保護することが可能である。
【００１５】
請求項４記載の本発明は、前記黒板に表示する情報をパソコン上で入力可能とし、それを印刷又はダウンロードして使用できるので、黒板の内容の編集をパソコン上で自由に行える。
【図面の簡単な説明】
【００１６】
【図１】本発明に係る黒板保持具の平面図である。
【図２】本発明に係る黒板保持具の側面図である。
【図３】本発明に係る黒板保持具の一例を示す斜視図である。
【図４】本発明に係る黒板保持具の一例を示す側面図である。
【図５】本発明に係る黒板保持具のクリップ式の黒板取り付け構造を示す斜視図である。
【図６】本発明に係る黒板保持具の差込式の黒板取り付け構造を示す斜視図である。
【図７】本発明に係る黒板保持具のクリップ式と差込式とを組み合わせた黒板取り付け構造を示す斜視図である。
【発明を実施するための最良の形態】
【００１７】
本発明に係る黒板保持具は、保持具本体１０の先端に黒板Ｂを取り付け、保持具本体１０の基端部をカメラに固定することにより、前記黒板Ｂと施工現場とを同時に撮影可能とする工事用黒板保持具である。
【００１８】
そして、前記黒板入れケース２１は、クリップにより保持具本体１０の先端に取り付け可能としている。また、前記黒板入れケース２１は、防水性を有する透明のプラスチック素材で形成されている。
【００１９】
具体的には、図１及び図２に示すように、保持具本体１０は、その先端部に黒板Ｂを取り付け可能とし、基端部をカメラに取り付け可能としたものである。
【００２０】
図１に示すように、保持具本体１０は、長くて細い板状の剛性な素材で形成されており、黒板Ｂとカメラとの距離の長さを変更可能としている。保持具本体１０は、カメラに取り付けるためのカメラ取付片１３と、第１の保持片１１と、第２の保持片１２と、黒板Ｂを取り付けるための黒板取付部材とを備えている。
【００２１】
第１の保持片１１は、略二又状の長く細い板状の金属フレームから構成されている。第２の保持片１２も、略二又状の長く細い板状の金属フレームから構成されている。
【００２２】
第１の保持片１１の先端部Ｄ１に第２の保持片１２の基端部Ｃ２を接続すると共に、これら二又状の金属フレームの中央に形成された間隙部Ｋにネジ部材を通し、そのネジ部材にて第１の保持片１１と第２の保持片１２を連結する。ネジ部は、蝶ネジ１５ａとナット１５ｂを用いている。
【００２３】
そして、蝶ネジ１５ａ及びナット１５ｂの調整により、第１の保持片１１と第２の保持片１２とで構成される保持具本体１０の全体長さを調節可能としている。すなわち、第１の保持片１１を、第２の保持片１２上で滑動させながら保持具本体１０の全体長さを調節できるようにしている。
【００２４】
これにより、工事現場や施工現場の写真を、黒板Ｂとの距離を調節しながら撮影することができる。すなわち、黒板Ｂと現場とが一つの画面上で一体になってきれいに写真が撮影できるように調整可能としている。
【００２５】
次に、図２に示すように、カメラ取付片１３は、平面視してＬ字形状を有する平板状の金属フレームから構成されている。カメラ取付片１３の先端側にはネジ孔１３ａが形成され、そのネジ孔１３ａには取付ネジ１６ａを挿通している。そして、取付ネジ１６ａに取付ナット１６ｂで固定することによりカメラ取付片１３を第１の保持片１１の基端部Ｃ１に固定している。
【００２６】
また、カメラ取付片１３の基端側にはカメラＡを取り付け可能としている。そのカメラ取付片１３の基端側にはカメラ取付孔１９ｃが穿設されており、そのカメラ取付孔１９ｃはカメラ固定部材１４のネジ先端部１９ａを通すようにしている。
【００２７】
上記カメラ取付片１３にカメラＡを取り付け、カメラ固定部材１４により保持具本体１０を取付固定するようにしている。カメラ固定部材１４には平板状のプラスチック製の部材本体を貫通させてネジ部が形成されており、そのネジ部には底面側にネジ頭部１８と本体表面側に上方に突出して形成されたネジ先端部１９ａとが配設されている。そして、ネジ頭部１８を回転させながらネジ先端部１９ａを上記取付片のカメラ取付孔１９ｃに挿通させて、カメラＡ下部に配設されているカメラ三脚用の取付孔１９ｂに挿通させる。
【００２８】
取り付けるカメラＡは、デジタルカメラ、フィルム式のカメラ、一眼レフカメラ、ビデオカメラなどが挙げられる。
【００２９】
次に、保持具本体１０の先端には黒板取付部材により黒板Ｂを取付可能としている。黒板取付部材は、例えば、図５に示すようなクリップ方式のものや、図６に示すような差込方式のものや、挟み込み式のもの（図示せず）がある。
【００３０】
クリップ方式では、図５に示すように、黒板入れケース２１の記載表示面とは反対の面にクリップＥが配設されている。一方、保持具本体１０の第２の保持片１２の中途部は、先端部Ｄ２が垂直方向に延伸するようにその中途部Ｍ２にて折曲している。そして、その先端部にクリップＥを挟み込むようにしている。このようにして、クリップ方式の黒板Ｂを取り付けるようにしている。
【００３１】
差込方式では、図６に示すように、黒板入れケース２１の記載表示面とは反対の面に、第２の保持片１２の先端部Ｄ２を差し込めるような、差込部Ｆを配設している。差込部は、下部が開口した箱形状を有している。
【００３２】
挟み込み方式では、第２の保持片１２の先端部Ｄ２がクリップのような構造を有し、黒板Ｂを先端部Ｄ２で挟み込むようにしたものである。
【００３３】
さらに、図７に示すように、クリップ方式と差込方式とを組み合わせたものを使用することもできる。すなわち、差込部Ｆに溝部Ｇを形成し、その溝部ＧにクリップＥの先端を係合するようにしている。
【００３４】
このようにして、図３に示すように、カメラＡに保持具本体１０を取り付けることができ、黒板Ｂを取り付けた状態での撮影が可能となる。
【００３５】
図４に示すように、第１の保持片１１は、その中途部において、その先端部Ｄ１が水平とするその基端部Ｃ１に対して下方に位置するように所定角度の折り曲げ部Ｍ１を有する。このような折り曲げ部Ｍ１を有することで、黒板Ｂを撮影画面の下方に位置させることができる。
【００３６】
黒板Ｂは、名刺サイズを有するので、保持具本体１０に保持した状態でも、薄型であり、軽量であり、カメラを取り付けた状態で持ち運びが簡単である。黒板Ｂには、作業メーカ、建物の名称、作業実施項目、作業状況又は作業実施日などを表示可能としている。黒板Ｂの文字は、通常の黒文字でもよいし、白抜き文字でもよい。
【００３７】
黒板Ｂの内容は、手書き、貼付け又はパソコンなどで編集可能としており、上記記載の内容の変更を自由に行える。また、内容の編集後に自由にダウンロード可能としている。これにより、パソコン及びプリンタを持ち運びするなどして、どこの現場でも黒板Ｂの内容を表示させることができる。
【００３８】
黒板Ｂは、透明でプラスチック製の黒板入れケース２１などに挿入可能としている。黒板入れケース２１として通常の名札ケースを流用することができる。黒板入れケース２１により、雨天の場合でも使用することができる。また、プラスチックケースにより黒板Ｂが傷ついたり、汚れたりするのを防止することができる。
【００３９】
黒板Ｂに上記工事の場所、作業時間などを記載し、黒板入れケース２１に入れ、黒板入れケース２１をクリップで保持具本体１０の先端に取り付けるようにしている。また、カメラ固定部材１４を介して保持具本体１０の基端部をカメラに取り付ける。
【００４０】
そして、カメラＡの撮影画面を覗きながら、現場と黒板Ｂとの距離の調節を行い、また、黒板Ｂが撮影画面上での位置を確認しながら撮影する。取った写真は、デジタルデータで保存したり、フィルムに焼いたりする。
【００４１】
以上のように、本願発明に係る黒板保持具は、別の作業員が黒板Ｂを持つことなく、作業員一人で施工現場と工事用の黒板Ｂと共に撮影することができる。また、黒板Ｂの取り付けが簡単な構造であるので、黒板Ｂの記載の内容の変更を簡単にでき、どんな現場においても黒板Ｂの表示の変更が可能である。
【符号の説明】
【００４２】
Ｂ  黒板
Ｅ  クリップ
Ｆ  差込部
１０  保持具本体
２１  黒板入れケース
１１  第１の保持片
１２  第２の保持片
１３  カメラ取付片
２１  黒板入れケース
【図１】
0005944627.tif 000002
【図２】
0005944627.tif 000003
【図３】
0005944627.tif 000004
【図４】
0005944627.tif 000005
【図５】
0005944627.tif 000006
【図６】
0005944627.tif 000007
【図７】
0005944627.tif 000008